(57)【要約】【課題】変換元の動画像ファイルを複数種類のファイルフォーマットの動画像ファイルに変換する際に、処理を効率よく行う。【解決手段】ファイル構成要件入力部１２が、各ファイルフォーマットの動画像ファイルを構成する、映像および音声を含むファイル構成要素についてのファイル構成要件の入力を受け付ける。変換部１４が、ファイル構成要素のうち、各ファイルフォーマット間において共通するファイル構成要件となるファイル構成要素については、各ファイルフォーマット間において共用するように変換元の動画像ファイルをファイル構成要素に変換する。ファイル生成部１６が、ファイル構成要素から各ファイルフォーマットの動画像ファイルＭ１〜Ｍ１１を生成する。【選択図】図１
2008236577.tif 000002
【特許請求の範囲】
【請求項１】
変換元の動画像ファイルを複数種類のファイルフォーマットの動画像ファイルに変換する動画像変換装置において、
前記各ファイルフォーマットの動画像ファイルを構成する、映像および音声を含むファイル構成要素についてのファイル構成要件の入力を受け付ける入力手段と、
前記ファイル構成要素のうち、前記各ファイルフォーマット間において共通するファイル構成要件となるファイル構成要素については、前記各ファイルフォーマット間において共用するように前記変換元の動画像ファイルを前記ファイル構成要素に変換する変換手段と、
前記ファイル構成要素から前記各ファイルフォーマットの動画像ファイルを生成するファイル生成手段とを備えたことを特徴とする動画像変換装置。
【請求項２】
前記ファイル構成要件に最大ファイル容量が含まれるファイルフォーマットについては、ファイル容量が該最大ファイル容量内に収まるように、前記ファイル構成要素を分割する分割手段をさらに備えたことを特徴とする請求項１記載の動画像変換装置。
【請求項３】
変換元の動画像ファイルを複数種類のファイルフォーマットの動画像ファイルに変換する動画像変換方法において、
前記各ファイルフォーマットの動画像ファイルを構成する、映像および音声を含むファイル構成要素についてのファイル構成要件の入力を受け付け、
前記ファイル構成要素のうち、前記各ファイルフォーマット間において共通するファイル構成要件となるファイル構成要素については、前記各ファイルフォーマット間において共用するように前記変換元の動画像ファイルを前記ファイル構成要素に変換し、
前記ファイル構成要素から前記各ファイルフォーマットの動画像ファイルを生成することを特徴とする動画像変換方法。
【請求項４】
変換元の動画像ファイルを複数種類のファイルフォーマットの動画像ファイルに変換する動画像変換方法をコンピュータに実行させるためのプログラムにおいて、
前記各ファイルフォーマットの動画像ファイルを構成する、映像および音声を含むファイル構成要素についてのファイル構成要件の入力を受け付ける手順と、
前記ファイル構成要素のうち、前記各ファイルフォーマット間において共通するファイル構成要件となるファイル構成要素については、前記各ファイルフォーマット間において共用するように前記変換元の動画像ファイルを前記ファイル構成要素に変換する手順と、
前記ファイル構成要素から前記各ファイルフォーマットの動画像ファイルを生成する手順とを有することを特徴とするプログラム。
【発明の詳細な説明】
【技術分野】
【０００１】
本発明は、変換元の動画像ファイルを異なるファイルフォーマットの動画像ファイルに変換する動画像変換装置および方法並びに動画像変換方法をコンピュータに実行させるためのプログラムに関するものである。
【背景技術】
【０００２】
インターネットを介して動画像を配信することが行われているが、配信先がパソコンである場合、どのパソコンであっても動画像を表示することができる。しかしながら、携帯電話等の携帯端末においては、携帯端末のキャリア、製造メーカーおよび機種に応じて動画像表示能力が異なる。このため、携帯端末を対象として動画像を配信する場合には、その表示能力に応じた動画像ファイルを用意する必要がある。
【０００３】
例えば、特許文献１には、動画像を配信する配信先端末の表示能力に応じて動画像の圧縮率を決定し、その圧縮率により動画像を圧縮して配信する手法が提案されている（特許文献１参照）。また、端末における表示可能なファイルサイズとなるように動画像を分割して配信する手法も提案されている。
【特許文献１】特開２００６−１２１６１４号公報
【発明の開示】
【発明が解決しようとする課題】
【０００４】
ところで、携帯端末向けの動画像のファイルフォーマットは、動画像を構成する映像についてはＭＰＥＧ４形式が、音声についてはＡＡＣ形式が多く採用されているが、映像および音声を束ねて動画像ファイルを得るためのファイルフォーマットについては、３ＧＰＰ、３ＧＰＰ２、ＡＭＣおよびＡＳＦ等、複数種類のファイルフォーマットが存在する。このため、携帯端末向けに動画像を配信する場合、変換元の動画像ファイルをすべてのファイルフォーマットの動画像ファイルに変換する必要がある。
【０００５】
しかしながら、動画像ファイルを生成するための動画像生成エンジンは共用できるものではないため、ファイルフォーマットの種類に応じて複数の動画像生成エンジンを用意する必要があり、さらにファイルフォーマットの変換処理もファイルフォーマットの種類毎に別個に行う必要がある。このため、動画像の変換の処理が非常に効率が悪いものとなっていた。
【０００６】
本発明は、上記事情に鑑みなされたものであり、変換元の動画像ファイルを複数種類のファイルフォーマットの動画像ファイルに変換する際に、処理を効率よく行うことを目的とする。
【課題を解決するための手段】
【０００７】
本発明による動画像変換装置は、変換元の動画像ファイルを複数種類のファイルフォーマットの動画像ファイルに変換する動画像変換装置において、
前記各ファイルフォーマットの動画像ファイルを構成する、映像および音声を含むファイル構成要素についてのファイル構成要件の入力を受け付ける入力手段と、
前記ファイル構成要素のうち、前記各ファイルフォーマット間において共通するファイル構成要件となるファイル構成要素については、前記各ファイルフォーマット間において共用するように前記変換元の動画像ファイルを前記ファイル構成要素に変換する変換手段と、
前記ファイル構成要素から前記各ファイルフォーマットの動画像ファイルを生成するファイル生成手段とを備えたことを特徴とするものである。
【０００８】
「ファイル構成要素」としては、動画像ファイルを構成するために必要な要素であり、具体的には映像、音声およびヘッダに付加される付加情報等が挙げられる。
【０００９】
「ファイル構成要件」としては、ファイル構成要素を構成するために必要な要件であり、映像については、映像方式、解像度、最大ビットレートおよびフレームレート等が挙げられる。音声については、音声方式、最大ビットレート、サンプリング周波数およびチャンネル等が挙げられる。また動画像ファイルの最大ファイル容量もファイル構成要件に挙げられる。
【００１０】
なお、本発明による動画像変換装置においては、前記ファイル構成要件に最大ファイル容量が含まれるファイルフォーマットについては、ファイル容量が該最大ファイル容量内に収まるように、前記ファイル構成要素を分割する分割手段をさらに備えるようにしてもよい。
【００１１】
本発明による動画像変換方法は、変換元の動画像ファイルを複数種類のファイルフォーマットの動画像ファイルに変換する動画像変換方法において、
前記各ファイルフォーマットの動画像ファイルを構成する、映像および音声を含むファイル構成要素についてのファイル構成要件の入力を受け付け、
前記ファイル構成要素のうち、前記各ファイルフォーマット間において共通するファイル構成要件となるファイル構成要素については、前記各ファイルフォーマット間において共用するように前記変換元の動画像ファイルを前記ファイル構成要素に変換し、
前記ファイル構成要素から前記各ファイルフォーマットの動画像ファイルを生成することを特徴とするものである。
【００１２】
なお、本発明による動画像変換方法をコンピュータに実行させるためのプログラムとして提供してもよい。
【発明の効果】
【００１３】
本発明によれば、複数種類のファイルフォーマットの動画像ファイルを構成する、映像および音声を含むファイル構成要素についてのファイル構成要件の入力が受け付けられ、ファイル構成要素のうち、各ファイルフォーマット間において共通するファイル構成要件となるファイル構成要素については、各ファイルフォーマット間において共用するように変換元の動画像ファイルがファイル構成要素に変換される。そして、ファイル構成要素から各ファイルフォーマットの動画像ファイルが生成される。このため、共通するファイル構成要件となるファイル構成要素については、ファイルフォーマット毎に動画像ファイルを変換する必要がなくなるため、効率よく複数種類のファイルフォーマットの動画像ファイルを作成することができる。
【発明を実施するための最良の形態】
【００１４】
以下、図面を参照して本発明の実施形態について説明する。図１は本発明の第１の実施形態による動画像変換装置の構成を示す概略ブロック図である。図１に示すように、第１の実施形態による動画像変換装置１は、変換元の動画像ファイルを、各種携帯端末が表示可能な複数種類のファイルフォーマットの動画像ファイルに変換するものであり、動画像ファイルの入力を受け付ける動画像入力部１０と、ファイル構成要件の入力を受け付けるファイル構成要件入力部１２と、動画像を後述するようにファイル構成要素に変換する変換部１４と、ファイル構成要素から各ファイルフォーマットの動画像ファイルを生成するファイル生成部１６とを備える。
【００１５】
動画像入力部１０は、メディアに記録された変換元の動画像ファイルＭ０を読み出すメディアスロットおよびネットワーク経由で送信された動画像ファイルＭ０の入力を受け付けるネットワークインターフェース等からなる。なお、変換元の動画像ファイルＭ０は汎用的にパソコンで再生可能な、例えば、ＭＰＥＧおよびｗｍｖ等のファイルフォーマットからなる。
【００１６】
ファイル構成要件入力部１２は、メディアに記録されたファイル構成要件を読み出すメディアスロットおよびネットワーク経由で送信されたファイル構成要件の入力を受け付けるネットワークインターフェース等からなる。
【００１７】
ここで、ファイル構成要件とは、携帯端末の種類に応じた各種ファイルフォーマットの動画像ファイルを構成する、映像および音声を含むファイル構成要素の構成要件を表すものである。図２は各種ファイルフォーマットのファイル構成要件を示す図である。なお、本実施形態においては例えば変換元の動画像ファイルＭ０を、１１種類のファイルフォーマットの動画像ファイルＭ１〜Ｍ１１に変換するものとする。
【００１８】
図２に示すように、１１種類のフォーマットはフォーマット名としてＡＭＣ、３ＧＰＰおよび３ＧＰＰ２を含む。ファイル構成要素は、映像、音声および付加情報からなる。映像のファイル構成要件には、映像方式、解像度、最大ビットレートおよびフレームレートを含む。なお、映像方式には、ＭＰＥＧ４およびＨ．２６４を含む。解像度には、ＱＣＩＦおよびＱＶＧＡを含む。最大ビットレートには、３２ｋｂｐｓ、６４ｋｂｐｓおよび１２８ｋｂｐｓを含む。フレームレートには、７．５および１０を含む。
【００１９】
音声のファイル構成要件には、音声方式、最大ビットレート、サンプリング周波数およびチャンネル数を含む。音声方式には、ＱＣＥＬＰおよびＡＡＣを含む。最大ビットレートには、１４ｋｂｐｓおよび６４ｋｂｐｓを含む。サンプリング周波数には、８ＫＨｚおよび２２．０５ＫＨｚを含む。チャンネル数には、１および２を含む。
【００２０】
なお、最大ファイル容量はファイル構成要件に含む。また、付加情報には、再配布の可否およびコメントを含む。ここで、第１の実施形態においては、最大ファイル容量については考慮しないものとする。
【００２１】
変換部１４は、複数種類のファイルフォーマットを、映像および音声のファイル構成要件が共通するファイルフォーマット同士で分類する。まず、映像に関して、図２に示す１１種類のファイルフォーマットの場合、パターン１は他のパターンと比較して、映像の最大ビットレートおよびフレームレートが異なるため、第１の映像グループＧ１に分類する。パターン２〜５は映像の映像方式、解像度、最大ビットレートおよびフレームレートが共通するため、第２の映像グループＧ２に分類する。同様に、パターン６〜９は第３の映像グループＧ３に、パターン１０，１１は第４の映像グループＧ２に分類する。
【００２２】
また、音声については、パターン１は他のパターンと比較して、音声方式、最大ビットレート、サンプリング周波数およびチャンネル数が異なるため、第１の音声グループＧ１１に分類する。パターン２〜１１は音声方式、最大ビットレート、サンプリング周波数およびチャンネル数が共通するため、第２の音声グループＧ１２に分類する。
【００２３】
そして、変換部１４は、分類した映像グループおよび音声グループ毎に動画像ファイルＭ０をファイル構成要素に変換する。ここで、映像についてはファイルフォーマットは４つの映像グループＧ１〜Ｇ１４に分類されているため、４通りの変換処理により４つの映像のファイル構成要素Ｐ１〜Ｐ４を生成する。音声については、ファイルフォーマットは２つの音声グループＧ１１，Ｇ１２に分類されているため、２通りの変換処理により２つの音声のファイル構成要素Ｓ１，Ｓ２を生成する。
【００２４】
ファイル生成部１６は、変換部１４が生成した映像ファイル構成要素Ｐ１〜Ｐ４および音声ファイル構成要素Ｓ１，Ｓ２から各ファイルフォーマットの動画像ファイルＭ１〜Ｍ１１を生成する。ここで、パターン１のファイルフォーマットについては、映像ファイル構成要素Ｐ１および音声ファイル構成要素Ｓ１を多重化し、必要な付加情報を付与することにより動画像ファイルＭ１を生成する。パターン２〜５のファイルフォーマットについては、映像ファイル構成要素Ｐ２および音声ファイル構成要素Ｓ２を多重化し、必要な付加情報を付与することにより動画像ファイルＭ２〜Ｍ５を生成する。パターン６〜９のファイルフォーマットについては、映像ファイル構成要素Ｐ３および音声ファイル構成要素Ｓ２を多重化し、必要な付加情報を付与することにより動画像ファイルＭ６〜Ｍ９を生成する。パターン１０，１１のファイルフォーマットについては、映像ファイル構成要素Ｐ４および音声ファイル構成要素Ｓ２を多重化し、必要な付加情報を付与することにより動画像ファイルＭ２〜Ｍ５を生成する。
【００２５】
次いで、第１の実施形態において行われる処理について説明する。図３は第１の実施形態において行われる処理を示すフローチャートである。不図示の入力部からファイルフォーマット変換の指示が行われることにより装置１が処理を開始し、動画像入力部１０が変換元の動画像ファイルＭ０の入力を、ファイル構成要件入力部１２がファイル構成要件の入力を受け付ける（ステップＳＴ１）。
【００２６】
次いで、変換部１４が上述したように複数種類のファイルフォーマットを、映像および音声のファイル構成要件が共通するファイルフォーマット同士で複数のグループに分類する（ファイルフォーマットの分類、ステップＳＴ２）。そして、変換部１４は、分類により得られた映像グループおよび音声グループ毎に動画像ファイルＭ０を変換して映像および音声のファイル構成要素を生成する（ステップＳＴ３）。
【００２７】
そして、ファイル生成部１６が、映像グループを基準として、ファイルフォーマットを変換するグループを最初のグループに設定し（ステップＳＴ４）、映像および音声のファイル構成要素並びに付加情報を多重化して動画像ファイルを生成する（ステップＳＴ５）。この際、付加情報はファイルフォーマット単位で生成されて動画像ファイルに含められる。そして、すべてのグループについて変換を終了したか否かを判定し（ステップＳＴ６）、ステップＳＴ６が否定されると、ファイルフォーマットを変換するグループを次のグループに設定し（ステップＳＴ７）、ステップＳＴ５に戻り、ステップＳＴ５以降の処理を繰り返す。ステップＳＴ６が肯定されると処理を終了する。
【００２８】
このように、第１の実施形態においては、各ファイルフォーマット間において共通するファイル構成要件となるファイル構成要素については、各ファイルフォーマット間において共用するように変換元の動画像ファイルＭ０をファイル構成要素に変換するようにしたものである。例えば、図２に示す１１種類のファイルフォーマットについては、従来であれば映像および音声のそれぞれについて１１回変換のための処理を行う必要があるが、本実施形態の場合、映像については４回、音声については２回の処理のみ行えばよいこととなる。このため、効率よく複数種類のファイルフォーマットの動画像ファイルＭ１〜Ｍ１１を生成することができる。
【００２９】
次いで、本発明の第２の実施形態について説明する。図４は本発明の第２の実施形態による動画像変換装置の構成を示す概略ブロック図である。なお、第２の実施形態において第１の実施形態と同一の構成については同一の参照番号を付与し、ここでは詳細な説明は省略する。第２の実施形態による動画像変換装置１′は、ファイル構成要件に最大ファイル容量が含まれるファイルフォーマットについては、ファイル容量が最大ファイル容量内に収まるように、映像および音声のファイル構成要素を分割する分割部１８を備えた点が第１の実施形態と異なる。
【００３０】
図５は第２の実施形態において行われる処理を示すフローチャートである。不図示の入力部からファイルフォーマット変換の指示が行われることにより装置１が処理を開始し、動画像入力部１０が変換元の動画像ファイルＭ０の入力を、ファイル構成要件入力部１２がファイル構成要件の入力を受け付ける（ステップＳＴ１１）。
【００３１】
次いで、変換部１４が上述したように複数種類のファイルフォーマットを、映像および音声のファイル構成要件が共通するファイルフォーマット同士で複数のグループに分類する（ステップＳＴ１２）。そして、変換部１４は、分類により得られた映像グループおよび音声グループ毎に動画像ファイルＭ０を変換して映像および音声のファイル構成要素を生成する（ステップＳＴ１３）。
【００３２】
次いで、分割部１８が、映像グループを基準として、ファイルフォーマットを変換するグループを最初のグループに設定し（ステップＳＴ１４）、処理中のグループのすべてのファイルフォーマットについて、生成される動画像ファイルが最大ファイル容量に収まるように、映像および音声のファイル構成要素を分割する（ステップＳＴ１５）。次いで、ファイル生成部１６が、分割された映像および音声のファイル構成要素毎に付加情報を多重化して動画像ファイルを生成する（ステップＳＴ１６）。この際、付加情報はファイルフォーマット単位で生成されて動画像ファイルに含められる。そして、すべてのグループについて変換を終了したか否かを判定し（ステップＳＴ１７）、ステップＳＴ１７が否定されると、ファイルフォーマットを変換するグループを次のグループに設定し（ステップＳＴ１８）、ステップＳＴ１５に戻り、ステップＳＴ１５以降の処理を繰り返す。ステップＳＴ１７が肯定されると処理を終了する。
【００３３】
このように第２の実施形態においては、各ファイルフォーマットの最大ファイル容量も考慮して変換を行うようにしたため、変換元の動画像ファイルＭ０の容量が大きくても、効率よく複数種類のファイルフォーマットの動画像ファイルＭ１〜Ｍ１１を生成することができる。
【００３４】
なお、上記第１および第２の実施形態においては、付加情報についてはファイルフォーマット単位で生成して動画像ファイルに含めているが、ファイルフォーマット間において共通する付加情報についても、グループに分類してグループ単位で生成するようにしてもよい。
【００３５】
以上、本発明の実施形態に係る装置１，１′について説明したが、コンピュータを、上記の変換部１４、ファイル生成部１６および分割部１８に対応する手段として機能させ、図３，５に示すような処理を行わせるプログラムも、本発明の実施形態の１つである。また、そのようなプログラムを記録したコンピュータ読取り可能な記録媒体も、本発明の実施形態の１つである。
【図面の簡単な説明】
【００３６】
【図１】本発明の第１の実施形態による動画像変換装置の構成を示す概略ブロック図
【図２】各種ファイルフォーマットのファイル構成要件を示す図
【図３】第１の実施形態において行われる処理を示すフローチャート
【図４】本発明の第２の実施形態による動画像変換装置の構成を示す概略ブロック図
【図５】第２の実施形態において行われる処理を示すフローチャート
【符号の説明】
【００３７】
１，１′    動画像変換装置
１０    動画像入力部
１２    ファイル構成要件入力部
１４    変換部
１６    ファイル生成部
１８    分割部
【図１】
2008236577.tif 000003
【図２】
2008236577.tif 000004
【図３】
2008236577.tif 000005
【図４】
2008236577.tif 000006
【図５】
2008236577.tif 000007